(57)【特許請求の範囲】
【請求項１】
ストロボユニットと、スピーカと、前記スピーカを保持する保持部材と、を有する撮像装置であって、
前記保持部材は、前記撮像装置の内部で前記ストロボユニットを構成し、
前記保持部材に、前記スピーカの位置を決める位置決め用のリブを形成し、
前記保持部材に、前記スピーカの背面と前記保持部材との間の空間と、前記ストロボユニットの発光部が収容される空間とをつなげる第１の貫通穴を形成し、
前記保持部材に、前記スピーカの背面と前記保持部材との間の空間と、前記ストロボユニットを構成するケースと前記ストロボユニットのストロボ基板によって形成される空間とをつなげる第２の貫通穴を形成することを特徴とする撮像装置。
【請求項２】
前記スピーカは振動板を有し、
前記スピーカの前記振動板の反対面に孔部が形成されていることを特徴とする請求項１に記載の撮像装置。
【発明の詳細な説明】
【０００１】
【発明の属する技術分野】
本発明は、スピーカを備えたデジタルスチルカメラやビデオカメラ（以下、「カメラ」と呼ぶ）などの撮像装置に関するものである。
【０００２】
詳しくは、スピーカの保持手段に特徴を有する撮像装置に関するものである。
【０００３】
【従来の技術】
一般的に、スピーカの音圧、音質を維持するためにスピーカの背後に設けられる音響空間（以下「バックキャビティ」と呼ぶ）は、密閉された空間であればあるほど、および、空間の体積が大きければ大きいほど音圧・音質が向上することが知られている。
【０００４】
【発明が解決しようとする課題】
しかしながら、近年、撮像装置の小型化が進み、バックキャビティが十分に確保できず、スピーカから出力される音声が低下するおそれがあった。
【０００５】
そこで、本発明は、カメラなどの撮像装置を大きくすることなく、狭い空間を有効利用してバックキャビティを十分に確保し、高い音圧と良好な音質となるスピーカを備えた撮像装置を提供することを目的とする。
【０００６】
【課題を解決するための手段】
前記課題を解決するために、本発明の撮像装置は、ストロボユニットと、スピーカと、前記スピーカを保持する保持部材と、を有する撮像装置であって、前記保持部材は、前記撮像装置の内部で前記ストロボユニットを構成し、前記保持部材に、前記スピーカの位置を決める位置決め用のリブを形成し、前記保持部材に、前記スピーカの背面と前記保持部材との間の空間と、前記ストロボユニットの発光部が収容される空間とをつなげる第１の貫通穴を形成し、前記保持部材に、前記スピーカの背面と前記保持部材との間の空間と、前記ストロボユニットを構成するケースと前記ストロボユニットのストロボ基板によって形成される空間とをつなげる第２の貫通穴を形成することを特徴とする。
【００１３】
上記構成により、スピーカ背面の空間がストロボユニットを構成するケースに設けられた通音用の孔によって、ストロボユニットを構成するケース内の略閉空間とつながり、反響に必要な十分なバックキャビティが確保され、カメラを大きくすることなく狭い空間を有効利用して高い音圧と良好な音質となるスピーカを備えた撮像装置が提供できる。
【００１４】
【発明の実施の形態】
以下、図面および実施例を用いて本発明の実施の形態について説明する。
【００１５】
（実施例）
図１は、本実施例のスピーカ保持構成を備えたカメラ本体の略斜視図、図２は、フレネルレンズ中央部の略垂直断面図、図３はスピーカの略背面図、図４は、ストロボユニットに保持されていたスピーカを取り外した、ストロボユニットのみの略平面図、図５は、メインコンデンサの略水平方向断面図である。
【００１６】
１はカメラ本体であり、内部に不図示のＣＣＤ、信号処理基板、電源基板、電池、撮影した画像を記録する記録手段、撮影した画像を表示させる液晶パネル、が具備されている。
【００１７】
２は撮影レンズ、３は光学ファインダ、４は、ストロボの発光部の前面パネルであるところのフレネルレンズ、５は、不図示の手段でカメラ本体１に具備された録音マイク、５ａはマイク用の孔（以下、「マイク用ルーバ」と呼ぶ）、６は、カメラ本体１に具備されたスピーカ用のルーバ（以下、「スピーカ用ルーバ」と呼ぶ）、ＳＵはストロボユニットである。
【００１８】
なお、不図示のＣＣＤ、および、撮影レンズ２で、撮像手段を構成する。
【００１９】
７は、不図示の信号線が半田付けされているスピーカ、７ａはスピーカ７の振動板、７ｂは金属製のバッフル、８は、スピーカ用ルーバ６が設けられている本体カバーとスピーカ７の隙間を密封するための略リング状のゴムブッシュ、９は、スピーカを保持するケースであり、ストロボユニットＳＵを構成するケースでもある上ケース、９ａは略円筒形のリブ、９ｂは切り欠き、９ｃ、９ｄ、９ｅ、９ｆは通音用の孔、１０は、ストロボユニットＳＵを構成するケースである下ケース、１１は、ストロボの発光源（発光部）であるところのＸＥ管、１２は、前記ＸＥ管１１の光をカメラ１前面に反射させるための反射笠、１３は、不図示の電気部品が実装され前記下ケース１０に不図示の手段で固定されているストロボ基板、１４はストロボ用メインコンデンサ、Ａ、Ｂは、それぞれスピーカ７の背面空間である空間Ａ、空間Ｂであり、Ｃ、Ｄは、それぞれスピーカ７の音響空間である空間Ｃ、空間Ｄである。
【００２０】
なお、フレネルレンズ４、上ケース９、下ケース１０、ＸＥ管１１、反射笠１２、ストロボ基板１３、メインコンデンサ１４で、ストロボユニットＳＵを構成する。
【００２１】
７ｃは通音用の孔、７ｄ、７ｅは不図示の信号線の半田付け用ランドである。
【００２２】
上述の構成において、本実施例のカメラ１は撮影モードの中に動画を撮影できる動画モードを有しており、操作者は、不図示の撮影モード切り替えダイヤルで動画モードを選択し、動画を撮影することが出来ると共に、音声もマイク用ルーバ５ａの下に具備された録音マイク５によって同時録音される。
【００２３】
また、撮影した動画を再生することも可能であり、この場合、カメラ本体１背面の不図示の液晶パネルに動画が表示されると共に、スピーカ７によりスピーカ用ルーバ６を介して録音された音声が再生される。
【００２４】
次に、図２に示されるスピーカ７の保持について説明する。
【００２５】
スピーカ７は、内部に不図示の磁石と、振動板７ａと、作業者が組み込み時に振動板７ａを直接触わらないようにするための金属製のバッフル７ｂと、で構成され、不図示の信号線が半田付けされている。
【００２６】
また、スピーカ７は、上ケース９に設けられた略円筒形のリブ９ａで位置決めされ、本体カバーとの間にあるゴムブッシュ８によって付勢され、ガタツキ無くストロボユニットＳＵに固定される。
【００２７】
ゴムブッシュ８の厚みは、本体カバーとスピーカ７の隙間より若干厚く設定されており、組み込みの際につぶされる構成をとっているので、振動板７ａの振動により発生する音をカメラ１全体に漏らすことなく、スピーカ用ルーバ６から出すことが可能となっている。
【００２８】
さらに、図３に示すように、スピーカ７は、振動板７ａの反対面にも９個の孔７ｃが設けられており、振動板７ａによって発生した音は前記孔７ｃを通りスピーカ７背面の空間Ａおよび空間Ｂへと導かれていく。
【００２９】
スピーカ７の背面側に配置されている上ケース９は、図２および図４に示すように、不図示の信号線が通る切り欠き９ｂの他に通音用の孔９ｃ〜９ｆが設けられているので、スピーカ７の孔７ｃから空間Ａおよび空間Ｂに導かれた音は、この孔９ｃ〜９ｆを通って、ストロボユニットＳＵ内部へと導かれる。
【００３０】
図２に示すように、ストロボユニットＳＵ内部は、導かれた音にとっては、２つの空間に分かれている。
【００３１】
第１の空間は、孔９ｅ、９ｆでスピーカ７の背面空間Ｂとつながっている空間Ｃであり、ストロボユニットＳＵの発光部を構成しているＸＥ管１１、反射笠１２が不図示の手段で空間Ｃの中で保持されている。
【００３２】
第２の空間は、孔９ｃ、９ｄでスピーカ７の背面空間Ａとつながっている空間Ｄであり、図５に示すように、空間Ｄは、下ケース１０とストロボ基板１３によって作られる略閉空間となっている。
【００３３】
これら空間Ｃ、Ｄが音響空間（バックキャビティ）として従来の空間Ａ、Ｂに加えられることによって、スピーカ７のバックキャビティとしての空間は十分に広がり、再生音を高い音圧と良好な音質で再現することが可能となる。
【００３４】
さらに、ストロボユニットＳＵは、その機能上高圧となる部分が多く、小型化されたカメラ１内部においては、その周囲をモールドなどの絶縁体で覆うことでリークやショートを起こさないように構成されている。
【００３５】
このように、ストロボユニットＳＵはモールドで覆われているので、その内部は略閉空間にもなっており、ストロボユニットＳＵ内部をバックキャビティとして利用することは、合理的である。
【００３６】
以上のようにして、カメラ１を大きくすることなく、小型でありながら高い音圧と良好な音質となるスピーカ７を備えたカメラが実現できる。
【００３７】
【発明の効果】
以上説明したように、本発明によれば、カメラなどの撮像装置を大きくすることなく、狭い空間を有効利用してバックキャビティを十分に確保し、高い音圧と良好な音質となるスピーカを備えた撮像装置を提供できる。
【図面の簡単な説明】
【図１】  本実施例のスピーカ保持構成を備えたカメラ本体の略斜視図である。
【図２】  フレネルレンズ中央部の略垂直断面図である。
【図３】  スピーカの略背面図である。
【図４】  ストロボユニットに保持されていたスピーカを取り外した、ストロボユニットのみの略平面図である。
【図５】  メインコンデンサの略水平方向断面図である。
【符号の説明】
１  カメラ本体
２  撮影レンズ
３  光学ファインダ
４  フレネルレンズ
５  録音マイク
５ａ  マイク用ルーバ
６  スピーカ用ルーバ
７  スピーカ
８  ゴムブッシュ
９  上ケース
９ｃ、９ｄ、９ｅ、９ｆ  孔
１０  下ケース
１１  ＸＥ管
１２  反射笠
１３  ストロボ基板
１４  メインコンデンサ
Ａ  空間Ａ
Ｂ  空間Ｂ
Ｃ  空間Ｃ
Ｄ  空間Ｄ
【図１】
0004908695.tif 000002
【図２】
0004908695.tif 000003
【図３】
0004908695.tif 000004
【図４】
0004908695.tif 000005
【図５】
0004908695.tif 000006